(57)【要約】【課題】携帯端末の物理状態が変化してもアンテナ特性の劣化を防止できるようにする。【解決手段】本発明による携帯端末は、物理状態が変化可能な携帯端末であって、当該携帯端末が搭載する金属製物体をグランドに接続させる接続回路と、前記物理状態の変化を検出したときに、前記金属製物体を前記グランドに接続させるか否かを判定し、前記金属製物体を前記グランドに接続させると判定したときに、前記接続回路に制御信号を出力する接続判定手段とを備え、前記接続回路は、前記制御信号に基づいて、前記金属製物体を前記グランドに接続させることを特徴とする。【選択図】図６
2010109453.tif 000002
【特許請求の範囲】
【請求項１】
物理状態が変化可能な携帯端末であって、
当該携帯端末が搭載する金属製物体をグランドに接続させる接続回路と、
前記物理状態の変化を検出したときに、前記金属製物体を前記グランドに接続させるか否かを判定し、前記金属製物体を前記グランドに接続させると判定したときに、前記接続回路に制御信号を出力する接続判定手段とを備え、
前記接続回路は、前記制御信号に基づいて、前記金属製物体を前記グランドに接続させる
ことを特徴とする携帯端末。
【請求項２】
金属製物体をグランドに接続させるか否かを示す設定情報を予め記憶する設定情報記憶手段を備え、
接続判定手段は、前記設定情報記憶手段が記憶する前記設定情報に基づいて、前記金属製物体を前記グランドに接続させるか否かを判定する
請求項１記載の携帯端末。
【請求項３】
接続回路は、
金属製物体とグランドとを接続するダイオードを搭載し、
制御信号を入力したことに基づいて、前記ダイオードに電流が流れた状態となることによって、前記金属製物体に前記グランドを接続させる
請求項１又は請求項２記載の携帯端末。
【請求項４】
物理状態として携帯端末の開閉状態を検出する検出手段を備え、
接続判定手段は、前記検出手段によって検出された携帯端末の開閉状態に基づいて、金属製物体をグランドに接続させるか否かを判定する
請求項１から請求項３のうちのいずれかに記載の携帯端末。
【請求項５】
接続判定手段は、
携帯端末が開放された状態であると判定したときに、金属製物体をグランドに接続させると判定し、
携帯端末が閉鎖された状態であると判定したときに、金属製物体をグランドに接続させないと判定する
請求項４記載の携帯端末。
【請求項６】
物理状態として第１の筐体が第２の筐体に対してスライドすることによって開閉可能なスライド型の携帯端末であって、
接続判定手段は、検出手段によって検出された携帯端末の開閉状態に基づいて、金属製物体としてのスライド金具をグランドに接続させるか否かを判定する
請求項４又は請求項５記載の携帯端末。
【請求項７】
物理状態が変化可能な携帯端末のグランド接続方法であって、
前記物理状態の変化を検出したときに、前記携帯端末が搭載する金属製物体をグランドに接続させるか否かを判定する接続判定ステップと、
前記金属製物体を前記グランドに接続させると判定したときに、前記金属製物体を前記グランドに接続させる接続回路に制御信号を出力する制御信号出力ステップと、
前記接続回路が、前記制御信号に基づいて、前記金属製物体を前記グランドに接続させるステップとを含む
ことを特徴とする携帯端末のグランド接続方法。
【請求項８】
金属製物体をグランドに接続させるか否かを示す設定情報を予め設定情報記憶手段に記憶し、
接続判定ステップで、前記設定情報記憶手段が記憶する前記設定情報に基づいて、前記金属製物体を前記グランドに接続させるか否かを判定する
請求項７記載の携帯端末のグランド接続方法。
【発明の詳細な説明】
【技術分野】
【０００１】
本発明は、携帯端末、及び携帯端末のグランド接続方法に関する。
【背景技術】
【０００２】
携帯電話機等の携帯端末では、アンテナが搭載されており、そのアンテナ周辺に実装されている各種金属製の筐体や部品等の金属物体によって、アンテナの特性に大きな影響を与えてしまうことがある。例えば、実装されている金属物体の物理的構成によって、アンテナゲイン（利得）を著しく劣化させてしまうことが多い。また、最近では、開いた状態と閉じた状態とに変化するスライド式や折り畳み式の携帯電話機や、液晶表示部側の筐体を９０度回転させることが可能な携帯電話機も登場しており、携帯端末の構造的な状態の変化が多様化している。このように、携帯端末において様々に状態が変化すると、携帯端末に搭載されている金属物体とアンテナとの位置関係が変化し、アンテナの特性を大きく劣化させる事態が発生してしまう。
【０００３】
また、アンテナ特性の劣化防止に関する関連技術が、例えば、特許文献１に記載されている。特許文献１には、折り畳み式携帯無線機において、上部筐体に内蔵した導体板とヒンジ金具との電気的接続を、ホール素子で制御する高周波スイッチによって接続するか開放するかを切り替えることが記載されている。
【０００４】
【特許文献１】特開２００５−３４１０１１号公報（段落００２１〜００２７）
【発明の開示】
【発明が解決しようとする課題】
【０００５】
特許文献１に記載された折り畳み式携帯無線機では、高周波スイッチを動作させることにより、携帯無線機が搭載するヒンジ部、導体板及び回路基板をダイポールアンテナとして機能させることによって、高いアンテナ性能を確保することができる。しかし、高いアンテナ性能の確保に特化しており、携帯無線機の物理状態の変化に応じて携帯無線機が搭載する回路基板や各種部品をグランドに接地するものではなく、必ずしもアンテナ特性の劣化を防止できるとは限らない。
【０００６】
そこで、本発明は、携帯端末の物理状態が変化してもアンテナ特性の劣化を防止することができる携帯端末、及び携帯端末のグランド接続方法を提供することを目的とする。
【課題を解決するための手段】
【０００７】
本発明による携帯端末は、物理状態が変化可能な携帯端末であって、当該携帯端末が搭載する金属製物体をグランドに接続させる接続回路と、物理状態の変化を検出したときに、金属製物体をグランドに接続させるか否かを判定し、金属製物体をグランドに接続させると判定したときに、接続回路に制御信号を出力する接続判定手段とを備え、接続回路は、制御信号に基づいて、金属製物体をグランドに接続させることを特徴とする。
【０００８】
本発明による携帯端末のグランド接続方法は、物理状態が変化可能な携帯端末のグランド接続方法であって、物理状態の変化を検出したときに、携帯端末が搭載する金属製物体をグランドに接続させるか否かを判定する接続判定ステップと、金属製物体をグランドに接続させると判定したときに、金属製物体をグランドに接続させる接続回路に制御信号を出力する制御信号出力ステップと、接続回路が、制御信号に基づいて、金属製物体をグランドに接続させるステップとを含むことを特徴とする。
【発明の効果】
【０００９】
本発明によれば、携帯端末の物理状態に応じて、携帯端末が搭載する金属製物体をグランドに接続することができ、携帯端末の物理状態が変化してもアンテナ特性の劣化を防止することができる。
【発明を実施するための最良の形態】
【００１０】
以下、本発明の実施形態を図面を参照して説明する。まず、本発明による携帯端末の構造について説明する。本実施形態では、携帯端末がスライド型の携帯電話機である場合を説明する。なお、携帯端末は、スライド型携帯電話機である場合にかぎらず、開閉状態等の物理状態が変化する構造のものであれば、例えば、折り畳み式携帯電話機であってもよい。また、携帯端末は、携帯電話機にかぎらず、例えば、ＰＤＡやＰＨＳ端末等であってもよい。
【００１１】
図１は、スライド型携帯電話機を開いた状態の構造を示す断面図である。また、図２は、スライド型携帯電話機を閉じた状態の構造を示す断面図である。図１及び図２に示すように、スライド型携帯電話機は、表示側筐体１、キー操作側筐体２、スライド金具３、キー操作部４、表示部５、回路基板６、接続金具７、回路基板８及びアンテナ９を含む。
【００１２】
図１及び図２に示すように、表示側筐体１とキー操作側筐体２とは、スライド金具３で接続されている。そして、表示側筐体１側がスライド金具３に対してスライドすることによって、表示側筐体１がキー操作側筐体２に対して開閉可能に構成されている。
【００１３】
また、キー操作側筐体２には、各種回路部品が実装されるとともに接続端子（後述する接続端子１０）が設けられた回路基板６が含まれる。そして、キー操作側筐体２は、回路基板６に設けられた接続端子が接続金具７を介してスライド金具３に接続されている。
【００１４】
また、回路基板６に設けられた接続端子は、回路基板６に設けられたグランド（以下、基板グランドという）に接続するための回路（以下、グランド接続回路という）に接続されている。そして、携帯電話機の開閉状態を検出する際に出力される制御信号の入力に基づいて、グランド接続回路によって、回路基板６の接続端子は基板グランドに接続される。
【００１５】
図３は、スライド型携帯電話機の構成の例を示すブロック図である。スライド型携帯電話機は、例えば、回路基板６に設けられた接続端子を基板グランドに接続する制御を行う制御回路を搭載している。制御回路は、制御部２１及びグランド接続設定情報記憶部２２を含む。本実施形態では、図３に示すような構成によって、図１に示すような携帯電話機を開いた状態と、図２に示す携帯電話機を閉じた状態とで、接続金具７を介して回路基板６の基板グランドとスライド金具３との接続を電気的に実現するように制御する。
【００１６】
本実施形態では、携帯電話機の開閉状態の検出方法については、周知の開閉検出方法を用いる。例えば、本実施形態では、携帯電話機は、表示側筐体１とキー操作側筐体２との開閉状態を検出する開閉検出スイッチ２０を搭載しているものとする。開閉検出スイッチ２０は、例えば、表示側筐体１がキー操作側筐体２に対して開放されたことを検出すると、開放状態を検出したことを示す検出信号を出力する機能を備える。
【００１７】
制御部２１は、開閉検出スイッチ２０からの検出信号を入力すると、グランド接続設定情報記憶部２２が記憶するグランド接続設定情報に基づいて、回路基板６の接続端子を基板グランドに接続させるか否かを判定する機能を備える。また、制御部２１は、回路基板６の接続端子を基板グランドに接続させると判定すると、回路基板６の接続端子を基板グランドに接続させるための制御信号を、グランド接続回路２３に出力する機能を備える。なお、制御部２１は、例えば、プログラムに従って動作する携帯電話機のＣＰＵによって実現されてもよい。
【００１８】
グランド接続設定情報記憶部２２は、回路基板６の接続端子を基板グランドに接続するか否かの設定情報であるグランド接続設定情報を記憶する。なお、グランド接続設定情報記憶部２２は、例えば、携帯電話機が搭載するＲＯＭ等の記憶媒体によって実現されてもよい。
【００１９】
本実施形態では、グランド接続設定情報記憶部２２は、携帯電話機が開いた状態において回路基板６の接続端子を基板グランドに接続するように制御し、携帯電話機が閉じた状態で回路基板６の接続端子を基板グランドに非接続状態とするように制御するように設定されたグランド接続設定情報を記憶しているものとする。
【００２０】
なお、いずれの状態において接続又は非接続状態とするか（具体的には、グランド接続設定情報）は、例えば、携帯電話機の設計時に、携帯電話機を開いた状態と閉じた状態とにおけるアンテナ特性に応じて、設計者によって予め設定される。すなわち、アンテナ特性を最大限に引き出せる接続状態を確認した上で、記憶媒体（グランド接続設定情報記憶部２２）に確定値（グランド接続情報）が設定される。
【００２１】
図４は、グランド接続回路２３の回路構成の例を示回路構成図である。グランド接続回路２３は、コンデンサ１１，１２、ダイオード１３、抵抗１５、インバータ１６及びコイル１８を含む。また、グランド接続回路２３は、回路基板６に設けられた接続端子１０と、回路基板６の基板グランド１４とに接続されている。
【００２２】
次に、動作について説明する。図５は、回路基板６の接続端子１０を基板グランド１４に接続する制御の流れを示す流れ図である。まず、制御回路の制御部２１は、開閉検出スイッチ２０からの検出信号に基づいて、携帯電話機の開閉状態（表示側筐体１がキー操作側筐体２に対して開いた状態であるか閉じた状態であるか）を判定する（ステップＳ１１）。例えば、制御部２１は、開閉検出スイッチ２０から検出信号を入力すると、表示側筐体１がキー操作側筐体２に対して開いた状態であると判定する。また、例えば、制御部２１は、開閉検出スイッチ２０から検出信号を入力していなければ、表示側筐体１がキー操作側筐体２に対して閉じた状態であると判定する。
【００２３】
次いで、制御部２１は、グランド接続設定情報記憶部２２が記憶するグランド接続設定情報に基づいて、回路基板６の接続端子１０を基板グランド１４に接続するか否かを判定する（ステップＳ１２）。そして、回路基板６の接続端子１０を基板グランド１４に接続すると判定すると（ステップＳ１３のＹ）、制御部２１は、グランド接続回路２３に対して制御信号を出力する（ステップＳ１４）。本実施形態では、制御部２１は、携帯電話機が開放状態であると判定すると、回路基板６の接続端子１０を基板グランド１４に接続すると判定し、グランド接続回路２３に対して制御信号を出力する。
【００２４】
図４に示すように、グランド接続回路２３において、回路基板６の接続端子１０は、ダイオード１３を介して基板グランド１４に接続されている。そのため、ダイオード１３に電流が流れた状態とならない限り、接続端子１０と基板グランド１４とは接続された状態とはならない。そのため、本実施形態では、図４に示すように、ダイオード１３の両端に直流遮断用のコンデンサ１１，１２を挿入した構成とし、コイル１８、抵抗１５及びインバータ１６を接続した構成とする。そのように構成することによって、制御部２１から制御信号１７が入力されると、ダイオード１３に交流的に電流が流れた状態となり、接続端子１０と基板グランド１４とが接続された状態となる。
【００２５】
一方、回路基板６の接続端子１０を基板グランド１４に接続しないと判定した場合には（ステップＳ１３のＮ）、制御部２１は、ステップＳ１４に移行することなく処理を終了する。本実施形態では、制御部２１は、携帯電話機が閉鎖状態であると判定すると、回路基板６の接続端子１０を基板グランド１４に接続しないと判定し、グランド接続回路２３に対して制御信号を出力しない。そのため、グランド接続回路２３において、ダイオード１３に電流がながれず、接続端子１０と基板グランド１４とは非接続状態に制御される。
【００２６】
以上に説明したように、本実施形態によれば、携帯電話機の開閉状態を検出し、その検出結果に基づいて、回路基板６の接続端子１０を基板グランド１４に接続する制御を行う。そのため、携帯電話機の開閉状態に応じて、携帯電話機が搭載するスライド金具３等の金属製物体を基板グランド１４に接続することができ、携帯電話機の物理状態が変化してもアンテナ特性の劣化を防止することができる。
【００２７】
例えば、スライド型等の物理状態が変化する携帯電話機では、携帯電話機の物理状態の変化によってアンテナ特性に影響を与えてしまい、アンテナ効率が悪い状態でしようしなければばらない場合もある。これに対して、本実施形態では、アンテナ特性に対して携帯電話機の物理状態が悪い状態にある場合であっても、携帯電話機が搭載する金属製物体の基板グランドへの接続状態を電気的に制御できるので、アンテナ効率を改善することができる。従って、アンテナ特性に対して携帯電話機の物理状態が悪い状態にある場合であっても、通信品質の向上を図ることができる。
【００２８】
次に、本発明による携帯端末の最小構成について説明する。図６は、携帯端末の最小の構成例を示すブロック図である。図６に示すように、携帯端末は、最小の構成要素として、制御部２１とグランド接続回路２３とを含む。
【００２９】
図６に示す最小構成の携帯端末において、制御部２１は、携帯端末の物理状態の変化を検出したときに、当該携帯端末が搭載する金属製物体をグランドに接続させるか否かを判定し、金属製物体をグランドに接続させると判定したときに、グランド接続回路２３に制御信号を出力する機能を備える。また、グランド接続回路２３は、制御信号に基づいて、金属製物体をグランドに接続させる機能を備える。
【００３０】
図６に示す最小構成の携帯端末によれば、携帯端末の物理状態に応じて、携帯端末が搭載する金属物体をグランドに接続することができ、携帯端末の物理状態が変化してもアンテナ特性の劣化を防止することができる。
【００３１】
なお、上記に示した実施形態では、以下の（１）〜（６）に示すような携帯端末の特徴的構成が示されている。
【００３２】
（１）携帯端末は、物理状態が変化可能な携帯端末（例えば、スライド型携帯電話機）であって、当該携帯端末が搭載する金属製物体（例えば、スライド金具３）をグランド（例えば、基板グランド１４）に接続させる接続回路（例えば、グランド接続回路２３）と、物理状態の変化を検出したときに、金属製物体をグランドに接続させるか否かを判定し、金属製物体をグランドに接続させると判定したときに、接続回路に制御信号（例えば、制御信号１７）を出力する接続判定手段（例えば、制御部２１）とを備え、接続回路は、制御信号に基づいて、金属製物体をグランドに接続させることを特徴とする。
【００３３】
（２）携帯端末は、金属製物体をグランドに接続させるか否かを示す設定情報（例えば、グランド接続設定情報）を予め記憶する設定情報記憶手段（例えば、グランド接続設定情報記憶部２２）を備え、接続判定手段は、設定情報記憶手段が記憶する設定情報に基づいて、金属製物体をグランドに接続させるか否かを判定するように構成されていてもよい。
【００３４】
（３）携帯端末において、接続回路は、金属製物体とグランドとを接続するダイオード（例えば、ダイオード１３）を搭載し、制御信号を入力したことに基づいて、ダイオードに電流が流れた状態となることによって、金属製物体にグランドを接続させるように構成されていてもよい。
【００３５】
（４）携帯端末は、物理状態として携帯端末の開閉状態を検出する検出手段（例えば、開閉検出スイッチ２０）を備え、接続判定手段は、検出手段によって検出された携帯端末の開閉状態に基づいて、金属製物体をグランドに接続させるか否かを判定するように構成されていてもよい。
【００３６】
（５）携帯端末において、接続判定手段は、携帯端末が開放された状態であると判定したときに、金属製物体をグランドに接続させると判定し、携帯端末が閉鎖された状態であると判定したときに、金属製物体をグランドに接続させないと判定するように構成されていてもよい。
【００３７】
（６）携帯端末は、物理状態として第１の筐体（例えば、表示側筐体１）が第２の筐体（例えば、キー操作側筐体２）に対してスライドすることによって開閉可能なスライド型の携帯端末であって、接続判定手段は、検出手段によって検出された携帯端末の開閉状態に基づいて、金属製物体としてのスライド金具（例えば、スライド金具３）をグランドに接続させるか否かを判定するように構成されていてもよい。
【産業上の利用可能性】
【００３８】
本発明は、スライド型や折り畳み式等の物理状態が変化可能な携帯端末に適用できる。
【図面の簡単な説明】
【００３９】
【図１】スライド型携帯電話機を開いた状態の構造を示す断面図である。
【図２】スライド型携帯電話機を閉じた状態の構造を示す断面図である。
【図３】スライド型携帯電話機の構成の例を示すブロック図である。
【図４】グランド接続回路の回路構成の例を示回路構成図である。
【図５】回路基板の接続端子を基板グランドに接続する制御の流れを示す流れ図である。
【図６】携帯端末の最小の構成例を示すブロック図である。
【符号の説明】
【００４０】
１  表示側筐体
２  キー操作側筐体
３  スライド金具
４  キー操作部
５  表示部
６  回路基板
７  接続金具
８  回路基板
９  アンテナ
１０  接続端子
１１，１２  コンデンサ
１３  ダイオード
１４  基板グランド
１５  抵抗
１６  インバータ
１７  制御信号
１８  コイル
２０  開閉検出スイッチ
２１  制御部
２２  グランド接続設定情報記憶部
２３  グランド接続回路
【図１】
2010109453.tif 000003
【図２】
2010109453.tif 000004
【図３】
2010109453.tif 000005
【図４】
2010109453.tif 000006
【図５】
2010109453.tif 000007
【図６】
2010109453.tif 000008